(57)【要約】【課題】より少ないコストで、遊技者の回転率を改善して管理者の収益率の向上を図れるようにする。【解決手段】撮影・落書きプレイを同一の撮影・編集共用ブースで時系列的に行っている写真シール払出機１を、既存の表示パネルの移動は位置によって容易に撮影用ブース２と編集専用ブース３を分離したタイプに改造することができ、両ブースの分離により、撮影プレイと落書きプレイを別々のブースで並行して実行することが可能になるため、使用者の回転率が上がって収益を向上させることができる。その結果、分離タイプの写真シール払出機を新たに購入することなく、より少ないコストで、使用者の回転率を改善して管理者の収益率の向上を図れるようにすることができ、使用者の撮影待ちの状態が緩和されて待ち時間が少なくて済み、ユーザのリピータとしての繰り返しの利用が望める。【選択図】図７
2007096631.tif 000002
【特許請求の範囲】
【請求項１】
撮影手段により被写体を撮影する撮影処理と、該撮影処理により得られ表示手段に表示される被写体画像への編集入力手段による入力画像の編集を行う編集処理とを、同一のブースで時系列的に行い、印刷手段により編集済みの画像をシール台紙に印刷する写真シール払出機において、
既存の前記ブースとは異なる位置に前記表示手段を移動配置して編集専用ブースを形成し、
既存の前記ブースでの前記撮影処理と並行して前記編集専用ブースでの前記編集処理を制御する制御プログラムを新たに格納し、該制御プログラムに従って各処理を実行する
ことを特徴とする写真シール払出機の改造方法。
【請求項２】
撮影手段により被写体を撮影する撮影処理と、該撮影処理により得られ表示手段に表示される被写体画像への編集入力手段による入力画像の編集を行う編集処理とを、同一のブースで時系列的に行い、印刷手段により編集済みの画像をシール台紙に印刷する写真シール払出機において、
前記撮影手段による撮影及び前記編集入力手段による入力画像の編集を行う既存の前記ブースとは異なる位置に、新たな表示手段を設置して編集専用ブースを形成し、
既存の前記ブースでの前記撮影処理と並行した前記編集専用ブースでの編集処理を制御する制御プログラムを新たに格納し、該制御プログラムに従って各処理を実行する
ことを特徴とする写真シール払出機の改造方法。
【請求項３】
前記制御プログラムが、
既存の前記ブースでの前記編集処理と並行して前記編集専用ブースでの編集処理も制御するものであることを特徴とする請求項２に記載の写真シール払出機の改造方法。
【請求項４】
撮影手段により被写体を撮影する撮影処理と、該撮影処理により得られ表示手段に表示される被写体画像への編集入力手段による入力画像の編集を行う編集処理とを、同一のブースで時系列的に行い、印刷手段により編集済みの画像をシール台紙に印刷する写真シール払出機において、
前記撮影手段による撮影及び前記編集入力手段による入力画像の編集を行う既存の前記ブースとは異なる位置に、新たな表示手段を設置して新ブースを形成し、
支持手段により、前記撮影手段の撮影範囲を既存の前記ブース側と前記新ブース側とに切換可能に前記撮影手段を回転自在に支持し、
前記支持手段の撮影範囲を一方のブース側に切り換えた上で該一方のブースでの前記撮影処理と並行した他方のブースでの編集処理を制御する制御プログラムを新たに格納し、
前記制御プログラムに従い、既存の前記ブースでの前記撮影処理に並行して前記新ブースでの前記編集処理を実行するか、既存の前記ブースでの前記編集処理に並行して前記新ブースでの前記撮影処理または前記編集処理を実行する
ことを特徴とする写真シール払出機の改造方法。
【請求項５】
機器本体に設けられた撮影手段により被写体を撮影する撮影処理と、該撮影処理により得られ前記機器本体に設けられた表示手段に表示される被写体画像への編集入力手段による入力画像の編集を行う編集処理とを、同一のブースで時系列的に行い、印刷手段により編集済みの画像をシール台紙に印刷する写真シール払出機を改造する改造装置において、
前記機器本体の前記ブースとは異なる位置に移動される前記表示手段を保持する保持手段と、
前記保持手段及び前記表示手段の周囲を囲んで編集専用ブースを仕切って形成する仕切部材と、
該仕切部材を前記機器本体に取り付ける取付部材と、
既存の前記ブースでの前記撮影処理と並行した前記編集専用ブースでの前記編集処理を制御する制御プログラムを格納したプログラム格納手段と、
前記制御プログラムに従い、既存の前記ブースでの前記撮影処理に並行して前記編集専用ブースでの前記編集処理を実行する制御手段と
を備えたことを特徴とする写真シール払出機の改造装置。
【請求項６】
機器本体に設けられた撮影手段により被写体を撮影する撮影処理と、該撮影処理により得られ前記機器本体に設けられた表示手段に表示される被写体画像への編集入力手段による入力画像の編集を行う編集処理とを、同一のブースで時系列的に行い、印刷手段により編集済みの画像をシール台紙に印刷する写真シール払出機を改造する改造装置において、
前記機器本体の前記ブースとは異なる位置に設置される新たな表示手段を保持する保持手段と、
前記保持手段及び前記表示手段の周囲を囲んで編集専用ブースを仕切って形成する仕切部材と、
該仕切部材を前記機器本体に取り付ける取付部材と、
既存の前記ブースでの前記撮影処理と並行した前記編集専用ブースでの前記編集処理を制御する制御プログラムを格納したプログラム格納手段と、
前記制御プログラムに従い、既存の前記ブースでの前記撮影処理に並行して前記編集専用ブースでの前記編集処理を実行する制御手段と
を備えたことを特徴とする写真シール払出機の改造装置。
【請求項７】
前記プログラム格納手段に格納される前記制御プログラムが、
既存の前記ブースでの前記編集処理と並行して前記編集専用ブースでの編集処理も制御するものであることを特徴とする請求項６に記載の写真シール払出機の改造装置。
【請求項８】
機器本体に設けられた撮影手段により被写体を撮影する撮影処理と、該撮影処理により得られ前記機器本体に設けられた表示手段に表示される被写体画像への編集入力手段による入力画像の編集を行う編集処理とを、同一のブースで時系列的に行い、印刷手段により編集済みの画像をシール台紙に印刷する写真シール払出機を改造する改造装置において、
前記機器本体の前記ブースとは異なる位置に設置される新たな表示手段を保持する保持手段と、
前記保持手段及び前記表示手段の周囲を囲んで新ブースを形成する仕切部材と、
該仕切部材を前記機器本体に取り付ける取付部材と、
前記機器本体内に設けられ、前記撮影手段の撮影範囲を既存の前記ブース側と前記新ブース側とに切換可能に前記撮影手段を回転自在に支持する支持手段と、
前記支持手段の撮影範囲を一方のブース側に切り換えた上で該一方のブースでの前記撮影処理と並行した他方のブースでの編集処理を制御する制御プログラムを格納したプログラム格納手段と、
前記制御プログラムに従い、既存の前記ブースでの前記撮影処理に並行して前記新ブースでの前記編集処理を実行するか、既存の前記ブースでの前記編集処理に並行して前記新ブースでの前記撮影処理または前記編集処理を実行する制御手段と
を備えたことを特徴とする写真シール払出機の改造装置。
【発明の詳細な説明】
【技術分野】
【０００１】
この発明は、被写体を撮影して得られる被写体画像に必要な編集を施して印刷手段によりシール台紙に印刷する写真シール払出機を改造する改造方法及び改造装置に関するものである。
【背景技術】
【０００２】
従来、プリントクラブと称される写真シール払出機は、遊技者（使用者）のコイン投入により起動されると、撮影処理を開始してデジタルカメラ等の撮影カメラの前でポーズをとる遊技者（１人あるいは友人同士の複数人）を被写体として撮影し、この撮影により被写体画像が得られると編集処理に移行し、得られた被写体画像に好みの文字や図形等を書き込んで（以下では、かかる書き込みを「落書き」とも称する）編集した合成画像をシール台紙に印刷して払い出す。通常、落書き手段として、被写体画像が表示される表示画面（モニタ）に対してタッチペンが設けられている。
【０００３】
ところが、このような装置では、次の遊技の順番待ちをしている遊技予定者がある場合には、先の遊技者が撮影から落書き、印刷までの処理を終了するまで、待っていなければならず、順番待ちの遊技予定者は待ち時間にすることがなく退屈感を覚えてしまうという問題点があった。
【０００４】
一方、装置を管理する管理者側の立場からは、遊技予定者が順番待ちする時間が多くなればなるほど遊技者の回転率が低下するため、収益率の向上を望むことができなくなるという問題点もあった。
【０００５】
そこで、カメラにより撮影を行うブースと、撮影により得られた画像に落書きを行うブースとを予め分けて形成した写真シール払出機が考えられている（例えば、特許文献１参照）。
【０００６】
【特許文献１】特開２００２−２６２２８５号公報（段落[０００８]、図１、図２）
【発明の開示】
【発明が解決しようとする課題】
【０００７】
ところで、上記した特許文献１に記載の写真シール払出機は、最初から撮影用のブースと編集用のブースが当初から分離された分離タイプであり、両ブースの分離により、撮影処理と編集処理を別々のブースで並行して実行することが可能になるため、遊技者の回転率が上がって収益が向上する。
【０００８】
しかし、すでに撮影と編集が同一のブースで行われるタイプの写真シール払出機を管理している管理者にとって、分離タイプの写真シール払出機を新たに購入するには費用がかかり過ぎて、管理者に大きな経済的負担を強いることとなり、最小限の投資で収益の向上を図れるようにすることが望まれる。
【０００９】
そこで、本発明は、より少ないコストで、遊技者の回転率を改善して管理者の収益率の向上を図れるようにすることを目的とする。
【課題を解決するための手段】
【００１０】
上記した課題を解決するために、請求項１に記載の写真シール払出機の改造方法は、撮影手段により被写体を撮影する撮影処理と、該撮影処理により得られ表示手段に表示される被写体画像への編集入力手段による入力画像の編集を行う編集処理とを、同一のブースで時系列的に行い、印刷手段により編集済みの画像をシール台紙に印刷する写真シール払出機において、既存の前記ブースとは異なる位置に前記表示手段を移動配置して編集専用ブースを形成し、既存の前記ブースでの前記撮影処理と並行して前記編集専用ブースでの前記編集処理を制御する制御プログラムを新たに格納し、該制御プログラムに従って各処理を実行することを特徴としている。
【００１１】
また、請求項２に記載の写真シール払出機の改造方法は、撮影手段により被写体を撮影する撮影処理と、該撮影処理により得られ表示手段に表示される被写体画像への編集入力手段による入力画像の編集を行う編集処理とを、同一のブースで時系列的に行い、印刷手段により編集済みの画像をシール台紙に印刷する写真シール払出機において、前記撮影手段による撮影及び前記編集入力手段による入力画像の編集を行う既存の前記ブースとは異なる位置に、新たな表示手段を設置して編集専用ブースを形成し、既存の前記ブースでの前記撮影処理と並行した前記編集専用ブースでの編集処理を制御する制御プログラムを新たに格納し、該制御プログラムに従って各処理を実行することを特徴としている。
【００１２】
また、請求項３に記載の写真シール払出機の改造方法は、前記制御プログラムが、既存の前記ブースでの前記編集処理と並行して前記編集専用ブースでの編集処理も制御するものであることを特徴としている。
【００１３】
また、請求項４に記載の写真シール払出機の改造方法は、撮影手段により被写体を撮影する撮影処理と、該撮影処理により得られ表示手段に表示される被写体画像への編集入力手段による入力画像の編集を行う編集処理とを、同一のブースで時系列的に行い、印刷手段により編集済みの画像をシール台紙に印刷する写真シール払出機において、前記撮影手段による撮影及び前記編集入力手段による入力画像の編集を行う既存の前記ブースとは異なる位置に、新たな表示手段を設置して新ブースを形成し、支持手段により、前記撮影手段の撮影範囲を既存の前記ブース側と前記新ブース側とに切換可能に前記撮影手段を回転自在に支持し、前記支持手段の撮影範囲を一方のブース側に切り換えた上で該一方のブースでの前記撮影処理と並行した他方のブースでの編集処理を制御する制御プログラムを新たに格納し、前記制御プログラムに従い、既存の前記ブースでの前記撮影処理に並行して前記新ブースでの前記編集処理を実行するか、既存の前記ブースでの前記編集処理に並行して前記新ブースでの前記撮影処理または前記編集処理を実行することを特徴としている。
【００１４】
また、請求項５に記載の写真シール払出機の改造装置は、機器本体に設けられた撮影手段により被写体を撮影する撮影処理と、該撮影処理により得られ前記機器本体に設けられた表示手段に表示される被写体画像への編集入力手段による入力画像の編集を行う編集処理とを、同一のブースで時系列的に行い、印刷手段により編集済みの画像をシール台紙に印刷する写真シール払出機を改造する改造装置において、前記機器本体の前記ブースとは異なる位置に移動される前記表示手段を保持する保持手段と、前記保持手段及び前記表示手段の周囲を囲んで編集専用ブースを仕切って形成する仕切部材と、該仕切部材を前記機器本体に取り付ける取付部材と、既存の前記ブースでの前記撮影処理と並行した前記編集専用ブースでの前記編集処理を制御する制御プログラムを格納したプログラム格納手段と、前記制御プログラムに従い、既存の前記ブースでの前記撮影処理に並行して前記編集専用ブースでの前記編集処理を実行する制御手段とを備えたことを特徴としている。
【００１５】
また、請求項６に記載の写真シール払出機の改造装置は、機器本体に設けられた撮影手段により被写体を撮影する撮影処理と、該撮影処理により得られ前記機器本体に設けられた表示手段に表示される被写体画像への編集入力手段による入力画像の編集を行う編集処理とを、同一のブースで時系列的に行い、印刷手段により編集済みの画像をシール台紙に印刷する写真シール払出機を改造する改造装置において、前記機器本体の前記ブースとは異なる位置に設置される新たな表示手段を保持する保持手段と、前記保持手段及び前記表示手段の周囲を囲んで編集専用ブースを仕切って形成する仕切部材と、該仕切部材を前記機器本体に取り付ける取付部材と、既存の前記ブースでの前記撮影処理と並行した前記編集専用ブースでの前記編集処理を制御する制御プログラムを格納したプログラム格納手段と、前記制御プログラムに従い、既存の前記ブースでの前記撮影処理に並行して前記編集専用ブースでの前記編集処理を実行する制御手段とを備えたことを特徴としている。
【００１６】
また、請求項７に記載の写真シール払出機の改造装置は、前記プログラム格納手段に格納される前記制御プログラムが、既存の前記ブースでの前記編集処理と並行して前記編集専用ブースでの編集処理も制御するものであることを特徴としている。
【００１７】
また、請求項８に記載の写真シール払出機の改造装置は、機器本体に設けられた撮影手段により被写体を撮影する撮影処理と、該撮影処理により得られ前記機器本体に設けられた表示手段に表示される被写体画像への編集入力手段による入力画像の編集を行う編集処理とを、同一のブースで時系列的に行い、印刷手段により編集済みの画像をシール台紙に印刷する写真シール払出機を改造する改造装置において、前記機器本体の前記ブースとは異なる位置に設置される新たな表示手段を保持する保持手段と、前記保持手段及び前記表示手段の周囲を囲んで新ブースを形成する仕切部材と、該仕切部材を前記機器本体に取り付ける取付部材と、前記機器本体内に設けられ、前記撮影手段の撮影範囲を既存の前記ブース側と前記新ブース側とに切換可能に前記撮影手段を回転自在に支持する支持手段と、前記支持手段の撮影範囲を一方のブース側に切り換えた上で該一方のブースでの前記撮影処理と並行した他方のブースでの編集処理を制御する制御プログラムを格納したプログラム格納手段と、前記制御プログラムに従い、既存の前記ブースでの前記撮影処理に並行して前記新ブースでの前記編集処理を実行するか、既存の前記ブースでの前記編集処理に並行して前記新ブースでの前記撮影処理または前記編集処理を実行する制御手段とを備えたことを特徴としている。
【発明の効果】
【００１８】
請求項１，５に記載の発明によれば、撮影処理と編集処理とを同一のブースで時系列的に行っている写真シール払出機を、既存の表示手段の移動配置によって容易に撮影用のブースと編集用のブースとを分離したタイプに改造することができ、両ブースの分離により、撮影処理と編集処理を別々のブースで並行して実行することが可能になるため、使用者の回転率が上がって収益を向上させることができる。
【００１９】
よって、分離タイプの写真シール払出機を新たに購入することなく改造でき、より少ないコストで、使用者の回転率を改善して管理者の収益率の向上を図れるようにすることができる。また、使用者の撮影待ちの状態が緩和されて待ち時間が少なくて済むため、使用者のリピータとしての繰り返しの利用を望むことができる。
【００２０】
請求項２，６に記載の発明によれば、撮影処理と編集処理とを同一のブースで時系列的に行っている写真シール払出機を、新たな表示手段の設置によって容易に撮影用のブースと編集用のブースとを分離したタイプに改造することができる。よって、分離タイプの写真シール払出機を新たに購入することなく、より少ないコストで使用者の回転率を改善して管理者の収益率の向上を図ることができる。
【００２１】
請求項３，７に記載の発明によれば、編集処理を既存のブースおよび編集専用ブースの両方で行うことができるため、既存のブースで撮影処理を行った使用者が被写体画像への編集処理を行う際、編集専用ブースを使用している他の使用者の編集処理が終了するのを待つことなく既存のブース内で編集処理を開始することができる。したがって、使用者の待ち時間を少なくすることができ、使用者の満足度を向上させることができる。
【００２２】
請求項４，８に記載の発明によれば、撮影処理と編集処理とを同一のブースで時系列的に行っている写真シール払出機を、撮影するブースと編集するブースを実質的に２つ設けたタイプに改造することができるため、より少ないコストで使用者の回転率を改善して管理者の収益率の向上を図れるようにすることができる。しかも、撮影手段の回転によって、既存のブースおよび新ブースの両方のブースで撮影処理および編集処理の両処理を並行して行うことができるため、撮影処理または編集処理を行うために一方または他方のブースが空くのを待つ必要がなくなり、使用者の待ち時間をよりいっそう少なくすることができる。
【発明を実施するための最良の形態】
【００２３】
＜第１実施形態＞
図１ないし図８を参照して本発明にかかる改造装置および改造方法の第１実施形態について詳述する。図１は改造前の写真シール払出機を示す図、図２は本発明の第１実施形態における改造装置の部品を示す図、図３ないし図７は本発明の第１実施形態における改造工程を示す図、図８は本発明の第１実施形態における改造後の写真シール払出機の電気的構成を示すブロック図である。なお、図１に示す改造前の写真シール払出機は、ユーザが撮影処理および編集処理を行うための撮影・編集共用ブース４を備えている。また、この改造前の写真シール払出機は、複数のユーザが撮影プレイおよび落書きプレイを同一の撮影・編集共用ブース４内で同時に行えるタイプの装置である。このような、撮影プレイおよび落書きプレイを同一のブース内で行う写真シール払出機の場合、上記したような問題が生じることがある。
【００２４】
続いて、図１を参照して、改造前の写真シール払出機１について説明する。改造前における筐体１０（本発明の「機器本体」に相当）の前方には図外の仕切部材によって撮影・編集共用ブース４が形成されている。筐体１０の前面右側には、ＣＣＤカメラ２０および撮影モニタ２１からなる撮影ユニット２２（本発明の「撮影手段」に相当）、例えば蛍光灯などの各種光源からなる照明機器２４、コイン投入口２５、操作ボタン群２６などが設けられている。そして、ＣＣＤカメラ２０がユーザのシャッター操作に応じて被写体の写真を撮影する一方、撮影モニタ２１には現在ＣＣＤカメラ２０に映る被写体のモニタ画像が表示され、ユーザはこの撮影モニタに表示されるモニタ画像を見ながら撮影する写真の構図を決めたり、自分自身のポーズを確認することができるようになっている。また、この撮影ユニット２２は所定の範囲内で撮影方向を上下左右に可動自在となっており、ユーザが写真の構図を自由に設定できるようになっている。
【００２５】
また、筐体１０の前面左側には、撮影画像の表示や編集操作に用いられる表示パネル３１（本発明の「表示手段」に相当）が設けられている。また、表示パネル３１の左方には左操作ボタン群３２Ｌおよび左タッチペン３３Ｌ（本発明の「編集入力手段」に相当）が設けられ、表示パネル３１の右方には右操作ボタン群３２Ｒおよび右タッチペン３３Ｒ（本発明の「編集入力手段」に相当）が設けられている。この表示パネル３１は、例えば液晶ディスプレイパネルからなる画面表示パネルと、タッチペン３３Ｌ，３３Ｒによる表面の接触位置検出用のデジタイザとを備え、画像編集（落書き）処理の画面を表示するものである。また、フルカラー式のプリンタ（本発明の「印刷手段」に相当）が筐体１０内のシール取出口３７付近に収納され、このプリンターにより写真がシール台紙に印刷されてシール取出口に排出される。
【００２６】
次に、写真シール払出機１のコントローラ部１００の構成について説明する。図８に示すように、コントローラ部１００は、写真シール払出機１の筐体１０内部に配設され、写真シール払出機１の各部を制御する。ＣＰＵ１０１は、予め設定されたプログラムを実行することで写真シール払出機１の各部を制御する。メモリ部１０２は、このＣＰＵ１０１が実行するプログラムを保持するＲＯＭと各種データを一時記憶するＲＡＭとを備えている。ハードディスク（ＨＤ）装置１０３は各種の画像データ等を記憶する大容量の記憶装置である。このように、この実施形態では、ＣＰＵ１０１が本発明の「制御手段」に相当し、メモリ部１０２が本発明の「プログラム格納手段」に相当する。
【００２７】
このＣＰＵ１０１は、メモリ部１０２に記憶されたプログラムを実行することで、撮影・編集共用ブース４でのユーザによる撮影ユニット２２を用いた撮影プレイ（撮影処理）を制御する。すなわちＣＰＵ１０１は、撮影・編集共用ブース４の操作ボタン群２６から操作入力部１０５に入力される入力信号に基づき操作ボタン群２６に対する操作の有無を検出する。そして、ＣＰＵ１０１は、撮影ユニット２２により撮影された写真の画像データをＨＤ装置１０３に格納する。
【００２８】
また、ＣＰＵ１０１は、メモリ部１０２に記憶されたプログラムを実行することで、撮影プレイが終了した後、ユーザによる撮影・編集共用ブース４での落書きプレイ（編集処理）を制御する。すなわちＣＰＵ１０１は、撮影・編集共用ブース４の表示パネル３１の表示処理を行う表示処理部１０６に制御信号を出力して、表示パネル３１の画面表示を制御する。また、ＣＰＵ１０１は、表示パネル３１のデジタイザから操作入力部１０７に入力される入力信号に基づき、タッチペン３３Ｌ，３３Ｒによる表面の接触位置を検出する。また、ＣＰＵ１０１は、操作ボタン群３２Ｌ，３２Ｒから操作入力部１０７に入力される入力信号に基づき、操作ボタン群３２Ｌ，３２Ｒに対する操作の有無を検出する。そして、ＣＰＵ１０１は、ユーザにより選択された写真の画像データを印刷出力部１０８に出力してプリンタ３８により写真シールを印刷させる。
【００２９】
次に、上記した写真シール払出機１を、撮影プレイのみを行う撮影ブース２と落書きプレイのみを行う編集専用ブース３とを備える写真シール払出機１に改造する手順について詳述する。改造には、図２に示すような改造装置を用いる。すなわち、既存の表示パネル３１、操作ボタン群３２Ｌ，３２Ｒおよびタッチペン３３Ｌ，３３Ｒを他の場所に保持する操作台３０（本発明の「保持手段」に相当、図２（ａ）参照）と、移動され操作台３０により保持された表示パネル３１等の周囲を囲んで編集専用ブース３を形成するカーテン３０２（本発明の「仕切部材」に相当、図２（ｅ）参照）と、カーテン３０２を取り付けるカーテンブラケット３００およびカーテンパイプ３０１（本発明の「取付部材」に相当、図２（ｃ），（ｄ）参照）とを備えた改造装置により、撮影ブース２での撮影プレイと並行した編集専用ブース３での落書きプレイを可能にする。これら両プレイを制御するための制御プログラムを、改造前の制御プログラムの書き換え等によって図８に示すメモリ部１０２に格納し、この制御プログラムに従って、ＣＰＵ１０１により撮影ブース２での撮影プレイに並行して編集専用ブース３での編集処理を実行する。なお、表示パネル等が異なる場所へ移動された後における改造前の撮影・編集共用ブース４が撮影ブース２として機能し、本発明の「既存のブース」に相当する。
【００３０】
より具体的な改造手順は図３ないし図７に示すようになる。まず、図３に示すように、表示パネル３１、操作ボタン群３２Ｌ，３２Ｒおよびタッチペン３３Ｌ，３３Ｒを最初の取付位置から取り外す。そして、図４に示すように、表示パネル３１等を装置本体１０（筐体）から取り外すことにより出現した孔３０４を目隠しパネル３０３（図２（ｂ）参照）を取り付けることにより閉塞する。
【００３１】
次に、筐体１０の改造前に表示パネル３１等が取り付けられていた取付位置の反対側に、取り外した表示パネル３１等を保持するための操作台３０を取り付ける（図５参照）。このようにして取り付けられた操作台３０に、表示パネル３１等を取り付ける（図６参照）。
【００３２】
そして、図７に示すように、表示パネル３１等を取り付けた筐体１０の上部に照明機器３６を配設するとともに、カーテンブラケット３００およびカーテンパイプ３０１を取り付ける。そして、取り付けられたカーテンパイプ３０１にカーテンを取り付けることによって編集専用ブース３を形成する。最後に、メモリ部１０２に格納されている制御プログラムを、撮影ブース２での撮影プレイと並行した編集専用ブース３での落書きプレイを制御する制御プログラムに書き換えることにより、写真シール払出機１の改造が終了する。
【００３３】
続いて、上記したように改造された写真シール払出機１は図９および１０のフローチャートに示す手順で動作する。まず、図９に示すように、電源が投入されて装置各部が起動されると、表示パネルにデモ画面を表示しつつコイン投入を待機する（ステップＳ１）。そして、ユーザによりコイン投入口から所定金額のコインが投入されると、タイマカウントを開始して撮影ブース２における規定の撮影時間（例えば５分間）を監視するとともに、表示パネルにゲーム進行・操作の画面を表示してユーザによる撮影コースやテーマなどの撮影条件の選択を誘導し（ステップＳ２）、その選択された撮影条件で撮影ユニット２２のＣＣＤカメラ２０により撮影が行われる（ステップＳ３）。
【００３４】
そして、規定の撮影時間内であれば（ステップＳ４でＹＥＳ）、ステップＳ２，Ｓ３が繰り返される。一方、規定の撮影時間が経過すると（ステップＳ４でＮＯ）、表示パネルにゲーム進行・操作の画面を表示してユーザが印刷を希望する写真の選択を誘導し（ステップＳ５）、次いで、ユーザーに対し、撮影ブース２から編集専用ブース３への移動を促すガイダンスを行い、ユーザを編集専用ブース３に誘導する（ステップＳ６）。
【００３５】
次に、図１０に示すような手順で編集専用ブース３における動作が行われる。まず、撮影ブース２から編集専用ブース３に移動したユーザにより、撮影ブース２で撮影された写真の画像を編集対象として落書きが開始される（ステップＳ１１）。そして、落書きが終了すると（ステップＳ１２）、表示パネル３１にゲーム進行・操作の画面を表示してユーザによる印刷写真の分割パターンの選択を誘導し（ステップＳ１３）、プリンタ３７により写真シールが印刷されて（ステップＳ１４）、ゲームが終了する（ステップＳ１５）。
【００３６】
以上説明したように、この実施形態では、撮影プレイと落書きプレイとを同一のブースで時系列的に行っている写真シール払出機を、既存の表示パネル３１の移動配置によって容易に撮影用ブース２と編集専用ブース３とを分離したタイプに改造することができ、両ブースの分離により、撮影プレイと落書きプレイを別々のブースで並行して実行することが可能になるため、使用者の回転率が上がって収益を向上させることができる。したがって、分離タイプの写真シール払出機を新たに購入することなく、より少ないコストで、使用者の回転率を改善して管理者の収益率の向上を図れるようにすることができる。また、使用者の撮影待ちの状態が緩和されて待ち時間が少なくて済むため、ユーザのリピータとしての繰り返しの利用が望むことができる。
【００３７】
＜第２実施形態＞
第２実施形態が上記第１実施形態と異なる点は、改造前の撮影・編集共用ブース４に設置された表示パネル３１等を移動させて編集専用ブース３を形成するのではなく、別の表示パネルおよび編集入力手段を新たに追加して図６に示す位置へ設置することで編集専用ブースを形成するようにした点である。その他の構成は上記第１実施形態と同様であり、その構成および動作の説明を省略する。
【００３８】
この第２実施形態では、上記第１実施形態と同様に、撮影プレイと落書きプレイとを同一のブースで時系列的に行っている写真シール払出機を、液晶パネル等を新たに追加して設置するのみで容易に撮影ブースと編集専用ブースとを分離したタイプに改造することができるため、ユーザの回転率を改善して管理者の収益率の向上を図ることができる。
【００３９】
なお、この実施形態では、制御プログラムとして、既存の撮影・編集共用ブースでの撮影プレイと落書きプレイを制御するとともに、新たなユーザーが撮影プレイを待っている場合には、新たに形成した編集専用ブースにユーザーが移動して、撮影・編集共用ブースで撮影した写真の画像を編集対象として落書きプレイを制御することのできる制御プログラムをメモリ部１０２に格納しておく。ここで、客待ちの検出には、例えば「客待ちスイッチ」を設けて待機中のユーザに操作してもらい、その操作信号により検出することなどが考えられる。
【００４０】
このような構成とすれば、撮影プレイと落書きプレイとを同一のブースで時系列的に行っている写真シール払出機を、新たな表示手段の設置によって容易に撮影用のブースと編集用のブースとを分離したタイプに改造することができる。よって、分離タイプの写真シール払出機を新たに購入することなく、より少ないコストでユーザの回転率を改善して管理者の収益率の向上を図ることができる。
【００４１】
また、編集プレイを既存のブースおよび編集専用ブースの両方で行うことができるため、既存のブースで撮影処理を行ったユーザが被写体画像への落書きプレイを行う際、編集専用ブースを使用している他のユーザの落書きプレイが終了するのを待つことなく既存のブース内で落書きプレイを開始することができる。したがって、ユーザの待ち時間を少なくすることができ、ユーザーの満足度を向上させることができる。
【００４２】
＜第３実施形態＞
第３実施形態が上記第２実施形態と異なる点は、ＣＣＤカメラ（撮影手段）を既存の撮影・編集共用ブース側と新たに形成した新ブース側とに切換可能に回転自在に支持する点である。また、制御プログラムとして、ＣＣＤカメラによる撮影範囲を一方のブースに切り換えた上で、該一方のブースでの撮影プレイと並行した他方のブースでの落書きプレイを制御する制御プログラムをメモリ部１０２に格納しておく。
【００４３】
このような構成とすれば、撮影プレイと落書きプレイとを同一のブースで時系列的に行っている写真シール払出機を、撮影するブースと編集するブースを実質的に２つ設けたタイプに改造することができるため、より少ないコストでユーザの回転率を改善して管理者の収益率の向上を図れるようにすることができる。しかも、ＣＣＤカメラの回転によって、既存のブースおよび新ブースの両方のブースで撮影プレイおよび落書きプレイの両処理を並行して行うことができるため、撮影プレイまたは落書きプレイを行うために一方または他方のブースが空くのを待つ必要がなくなり、ユーザの待ち時間をよりいっそう少なくすることができ、ユーザの満足度をよりいっそう向上させることができる。なお、ＣＣＤカメラを回転自在に支持する部材としては周知の部材を利用すればどのようなものであっても構わない。
【００４４】
なお、本発明は上記した実施形態に限定されるものではなく、その趣旨を逸脱しない限りにおいて上述したもの以外に種々の変更を行うことが可能である。例えば、新たに液晶パネル等を設置して編集専用ブースを形成する場所は上記した実施形態で説明した場所に限られず、筐体１０の側面等であっても構わない。要は、他のユーザと接触することのない場所であればどこでもよい。
【００４５】
また、この実施形態によれば、操作ボタン群３２Ｌ，３２Ｒおよびタッチペン３３Ｌ，３３Ｒをそれぞれ液晶パネル３１の左右に設けているため、２人のユーザが左右に並び、同時に落書きプレイを行える。したがって、２人のユーザがそれぞれ楽しむことができる。
【００４６】
また、新たに形成する編集専用ブースに新たにハンドカメラ等を配設し、該ハンドカメラで撮影した画像を編集専用ブースに設置された液晶パネル等で表示・編集可能に構成してもよい。このような構成とすれば、撮影ユニット２２およびハンドカメラのいずれで撮影された写真の画像についても編集対象として落書きを行うことができる。さらに、両画像を重ね合わせたりすることが可能なように構成することで、ユーザの満足度をさらに向上させることができる。なお、ハンドカメラの電源スイッチのオンオフを監視し、電源スイッチがオンにされたときにハンドカメラを起動するようにしてもよいし、これに限られず、ハンドカメラを常に電源オンの状態に保持し、シャッタボタンが押されたときにいつでも撮影できるようにしておいてもよい。ハンドカメラの撮影対象は人物に限られない。例えば装置の付属物として撮影対象とすることが可能な静物を準備しておいてもよく、あるいはユーザの持ち物を撮影するようにしてもよい。
【００４７】
また、上記第２および第３実施形態では１つの編集用のブースを追加形成しているが、これに限られず、編集用のブースは２つ以上であってもよい。また、上記第１実施形態に新たに編集用のブースを追加形成して、編集ブースを２つ以上備えるようにしてもよい。このように構成すれば、落書き時間をさらに延ばすことができ、落書き（編集処理）を楽しみたいユーザをさらに引き付けることができる。
【００４８】
また、表示パネルは、液晶ディスプレイパネルに限られず、ＣＲＴ方式、プラズマディスプレイパネル、リアプロジェクション方式など、いずれの方式であってもよい。また、表示パネル３１のデジタイザとしては、赤外線方式、容量結合方式など、種々の方式が考えられるが、タッチペン３３Ｌ，３３Ｒとの組合せによって使用できるものであって、複数の入力を識別することができるものであれば、どのような方式のものであってもよい。また、デジタイザに代えて例えば抵抗膜式のタッチパネルを用いてもよい。
【００４９】
また、上記実施形態では、改造装置における各種部材の固定用にネジを使用しているが、各種部材を固定する方法はネジに限られず、容易に抜け落ちない固定ピンや他の固定具等であってもよい。要は、各種部材を確実に設置・固定できる方法であればどのような方法であっても構わない。
【図面の簡単な説明】
【００５０】
【図１】本発明の第１実施形態における改造前の写真シール払出機の斜視図である。
【図２】本発明の第１実施形態における改造装置の各部品を示す図である。
【図３】本発明の第１実施形態における改造工程を示す図である。
【図４】本発明の第１実施形態における改造工程を示す図である。
【図５】本発明の第１実施形態における改造工程を示す図である。
【図６】本発明の第１実施形態における改造工程を示す図である。
【図７】本発明の第１実施形態における改造工程を示す図である。
【図８】本発明の第１実施形態における改造後の写真シール払出機の電気的構成を示すブロック図である。
【図９】撮影ブースにおける動作を示すフローチャートである。
【図１０】編集専用ブースにおける動作を示すフローチャートである。
【符号の説明】
【００５１】
１…写真シール払出機、２…撮影ブース、３…編集専用ブース、２２…撮影ユニット（撮影手段）、３０…操作台（保持手段）、３１…表示パネル（表示手段）、３３Ｌ，３３Ｒ…タッチペン（編集入力手段）、３８…プリンタ（印刷手段）、１０１…ＣＰＵ（制御手段）、１０２…メモリ部（プログラム格納手段）、３００…カーテンブラケット（取付部材）、３０１…カーテンパイプ（取付部材）、３０２…カーテン（仕切部材）
【図１】
2007096631.tif 000003
【図２】
2007096631.tif 000004
【図３】
2007096631.tif 000005
【図４】
2007096631.tif 000006
【図５】
2007096631.tif 000007
【図６】
2007096631.tif 000008
【図７】
2007096631.tif 000009
【図８】
2007096631.tif 000010
【図９】
2007096631.tif 000011
【図１０】
2007096631.tif 000012